(57)【特許請求の範囲】
【請求項１】
上面が開口した容器（２）と、該容器（２）の上面を開閉可能に閉じる蓋（３）とを設け、前記蓋（３）の中心部に挿通孔（３ａ）を貫通形成し、上下に細長い一対の挟持片（４ａ，４ｂ）を上端部で互いに連結するとともに、各挟持片（４ａ，４ｂ）が下方に向かって拡開付勢されてなるフォーク状の挟持具（４）を設け、該挟持具（４）を前記挿通孔（３ａ）に挿通するとともに、該挟持具（４）の上下中間部を前記挿通孔（３ａ）位置に配置し、挟持具（４）の一方の挟持片（４ａ）を前記蓋（３）に固定するとともに、他方の挟持片（４ｂ）を前記挿通孔（３ａ）に遊嵌させて前記一方の挟持片（４ａ）に対して接離方向に移動可能としたことを特徴とするペットの糞回収具。
【請求項２】
挟持具（４）の蓋（３）から上方に突出した上部に握り部（５）を設けたことを特徴とする請求項１記載のペットの糞回収具。
【請求項３】
上面が開口した容器（１５）と、該容器（１５）の上面を開閉可能に閉じる蓋（１６）とを設け、前記蓋（１６）の中心部に上方に向かって突出する握り部（１７）を一体的に設け、該握り部（１７）の内部に下面が開口した保持室（１８）を形成し、上下に細長い一対の挟持片（１９ａ，１９ｂ）を上端部で互いに連結するとともに、各挟持片（１９ａ，１９ｂ）が下方に向かって拡開付勢されてなるフォーク状の挟持具（１９）を設け、該挟持具（１９）の上部を前記保持室（１８）に嵌合係止し、少なくとも一方の挟持片（１９ａ）の上部に握り部（１７）から側方に向かって出没可能に突出する操作片（２０）を設けたことを特徴とするペットの糞回収具。
【発明の詳細な説明】
【０００１】
【発明の属する技術分野】
本発明は、犬、猫等のペットが庭あるいは散歩道等に糞をした際に、この糞を回収するペットの糞回収具に関するものである。
【０００２】
【従来の技術】
従来の技術として、特開２００１−６１３６５号公報に記載されたものがあった。即ち、上面が開口した容器と、該容器の上面を開閉可能に閉じる蓋とを設け、前記蓋の裏にスコップを下方に向けて突出固定してなるペットの糞回収具があった。
【０００３】
【発明が解決しようとする課題】
上記従来のものは、スコップを蓋に取り付けるようにしたので、個別の部品が少なくなって持ち歩きに便利であった。しかしながら、蓋の裏に取り付けるスコップは、容器の大きさ、容器の深さ等によってスコップのすくう角度、及び形状が制限されることになる。また、スコップはすくう動作によって糞を回収するため、草むら等、排便した場所、あるいは糞の状態によってすくい難くなり、糞の回収が円滑に行えなくなることがあった。本発明は糞を挟んで回収することにより、上記不具合を解消した新規なペットの糞回収具を得ることを目的とする。
【０００４】
【課題を解決するための手段】
本発明は、上記目的を達成するために以下の如く構成したものである。即ち、請求項１に係る発明は、上面が開口した容器と、該容器の上面を開閉可能に閉じる蓋とを設け、前記蓋の中心部に挿通孔を貫通形成し、上下に細長い一対の挟持片を上端部で互いに連結するとともに、各挟持片が下方に向かって拡開付勢されてなるフォーク状の挟持具を設け、該挟持具を前記挿通孔に挿通するとともに、該挟持具の上下中間部を前記挿通孔位置に配置し、挟持具の一方の挟持片を前記蓋に固定するとともに、他方の挟持片を前記挿通孔に遊嵌させて前記一方の挟持片に対して接離方向に移動可能にする構成にしたものである。
請求項２に係る発明は、上記挟持具の蓋から上方に突出した上部に握り部を設けたものである。
請求項３に係る発明は、上面が開口した容器と、該容器の上面を開閉可能に閉じる蓋とを設け、前記蓋の中心部に上方に向かって突出する握り部を一体的に設け、該握り部の内部に下面が開口した保持室を形成し、上下に細長い一対の挟持片を上端部で互いに連結するとともに、各挟持片が下方に向かって拡開付勢されてなるフォーク状の挟持具を設け、該挟持具の上部を前記保持室に嵌合係止し、少なくとも一方の挟持片の上部に握り部から側方に向かって出没可能に突出する操作片を設ける構成にしたものである。
【０００５】
【発明の実施の形態】
以下本発明の実施の形態を図面に基づいて説明する。図面において、図１は本発明の第１実施例を示す蓋を閉じた状態の断面図、図２は本発明の第１実施例を示す糞の回収状態を示す断面図、図３は本発明の第２実施例を示す蓋を閉じた状態の断面図、本発明の第３実施例を示す蓋を閉じた状態の断面図である。
【０００６】
図１において、１は糞回収具であり、上面が開口した円筒状の容器２、該容器２の上面を開閉可能に閉じる蓋３、該蓋３に取り付けた挟持具４を主要部品として構成される。上記蓋３はキャップ形とし、その周壁を上記容器２の上部にねじ嵌合させることにより該容器２に着脱可能に取付けられる。
【０００７】
上記蓋３の中心部に長方形状の挿通孔３ａを貫通形成し、この部に挟持具４を挿通する。この挟持具４は柱状の握り部５を介して蓋３に取り付ける。上記握り部５は蓋３の右寄りに偏倚させて起立固定し、その左面５ａは平滑な面にして上記挿通孔３ａの右部に位置させ、その右面５ｂは上下に波形に湾曲させて握った指がスリップし難くなるようにする。
【０００８】
上記握り部５の左面５ａ側に上記挟持具４を取り付ける。該挟持具４は、上下に細長い２枚の板状の固定挟持片４ａと可動挟持片４ｂとを互いに対面させてなる。即ち、固定挟持片４ａは、上記握り部５の左面５ａから挿通孔３ａの右部を通過して下方に延長させ、可動挟持片４ｂは固定挟持片４ａ及び握り部５の左面５ａに対面させるとともに、その上端部を握り部５の頂部に沿って湾曲させ、該湾曲部を握り部５の頂部にねじ止めする。そして、上記各挟持片４ａ，４ｂ間にばね（コイルばね）６を介装し、該ばね６の反力で各挟持片４ａ，４ｂが下方に向かって拡開するように付勢する。
【０００９】
上記第１実施例によれば、握り部５を持って蓋３を容器２に対して緩み方向に回転させると、蓋３が容器２から外れ、図２に示すように、挟持具４の下部が蓋３から下方に突出した状態で外部に露出することになる。この状態で挟持具４を蓋３とともに移動させ、該挟持具４の下端部、即ち、固定挟持片４ａ及び可動挟持片４ｂの下端部を排便した糞（ア）の両側に位置決めし、次いで握り部５を持った手７の親指７ａで可動挟持片４ｂを同図の矢印Ａ方向に押して該可動挟持片４ｂをばね６の反力に抗して固定挟持片４ａ方向に接近させ、固定挟持片４ａ及び可動挟持片４ｂの下端部で上記糞（ア）を挟持する。この場合、糞（ア）が路面あるいは草に固着している場合は、固定挟持片４ａで糞（ア）をすくい上げるようにした後、可動挟持片４ｂを作動させて挟持する。
【００１０】
次いで上記糞（ア）を持ち上げて容器２内に収容し、上記親指７ａによる可動挟持片４ｂの押圧を解除する。さすれば、該可動挟持片４ｂがばね６の反力で固定挟持片４ａから離間し、上記糞（ア）が容器２の底部に落下する。この動作を繰り返して残りの糞（ア）を順次容器２内に収容する。そして、全部の糞（ア）を収容した時点で握り部５を介して上記蓋３を容器２の上部にねじ嵌合させ、該蓋３により図１に示すように容器２の上面を閉塞する。
【００１１】
図３は第２実施例を示す。図３において、１０は上面が開口した容器、１１は容器１０の上面を開閉可能に閉じる蓋、１２は蓋１１に取り付けた挟持具である。上記容器１０は、その上部に逆Ｕ形の吊り環１３が取付けられ、該吊り環１３を持って持ち運びできるようになっている。上記蓋１１はキャップ形とし、容器１０の上部に着脱可能に嵌合させて該容器１０の上面を閉塞する。
【００１２】
上記蓋１１の中心部に長方形状の挿通孔１１ａを貫通形成し、この部に挟持具１２を挿通し、ブラケット１４を介して蓋１１に係止する。上記挟持具１２は、上下に細長い板材をその中心部で屈曲させ、各屈曲片を互いに対面させて一対の挟持片１２ａ，１２ｂを形成するとともに、屈曲部を円弧状に湾曲させてばね部１２ｃを形成し、該ばね部１２ｃの反力により、各挟持片１２ａ，１２ｂを下方に向かって拡開付勢してなる。
【００１３】
そして、上記挟持具１２を上記挿通孔１１ａに挿通するとともに、該挟持具１２の略上半部を蓋１１から上方に突出させる。この状態で右部の挟持片１２ａを上記挿通孔１１ａの右辺に当接させ、ブラケット１４を介して蓋１１に固定する。また、左部の挟持片１２ｂはばね部１２ｃの反力により右部の挟持片１２ａに対して離間付勢し、上記挿通孔１１ａの左辺に当接させる。
【００１４】
上記第２実施例によれば、蓋１１から上方に突出した挟持具１２の上部を持ち、これを容器１０に対して上方に引くと、蓋１１が容器１０から外れ、挟持具１２の下部が蓋１１から下方に突出した状態で外部に露出することになる。この状態で第１実施例と同様に所定場所に移動させ、左部の挟持片１２ｂをばね部１２ｃの反力に抗して挟持片１２ａ方向に接近させることにより、挟持片１２ａ，１２ｂの下端部で排便した糞（ア）を挟持して容器１０内に収容する。
【００１５】
図４は第３実施例を示す。図４において、１５は上面が開口した容器、１６は容器１５の上面を開閉可能に閉じる蓋である。蓋１６はキャップ形とし、その周壁を上記容器１５の上部に着脱可能にねじ嵌合させ、該蓋１６蓋の中心部に柱状の握り部１７を上方に向けて一体的に突出形成するとともに、該握り部１７の内部に下面が開口した保持室１８を形成する。
【００１６】
上記握り部１７の左面１７ｂは上下に波形に湾曲させて握った指がスリップし難くなるようにし、その右面１７ａは平滑な面とする。また、上記保持室１８の頂部は側面視円弧状の円弧室１８ａとし、その下部は円形室１８ａの下部から下方に向かって拡開するテーパー室１８ｂとし、該保持室１８に挟持具１９の上部を嵌合係止する。
【００１７】
上記挟持具１９は、上下に細長い板材をその中心部で屈曲させ、各屈曲片を互いに対面させて一対の挟持片１９ａ，１９ｂを形成するとともに、屈曲部を円弧状に湾曲させてばね部１９ｃを形成し、該ばね部１９ｃの反力により、各挟持片１９ａ，１９ｂを下方に向かって拡開付勢してなる。そして、上記ばね部１９ｃを前述した保持室１８の円形室１８ａに嵌合させ、上記各挟持片１９ａ，１９ｂの上部を前述した保持室１８のテーパー室１８ｂに嵌合させる。これにより、上記円形室１８ａで挟持具１９のばね部１９ｃを離脱不能に保持し、また上記テーパー室１８ｂで各挟持片１９ａ，１９ｂの開き角度を設定する。
【００１８】
上記右部の挟持片１９ａの上部に円柱状の操作片２０を右方に向けて突出固定し、該操作片２０を握り部１７の右壁に形成したガイド孔２１から右方に向けて出没可能に突出させる。
【００１９】
上記第３実施例によれば、握り部１７を持って蓋１６を容器１５に対して緩み方向に回転させると、蓋１６が容器１５から外れ、挟持具１９の下部が蓋１６から下方に突出した状態で外部に露出することになる。この状態で第１実施例と同様に挟持具１９を所定の場所に移動させ、操作片２０を押し込むと、右部の挟持片１９ａがばね部１９ｃの反力に抗して左部の挟持片１９ｂ方向に接近し、各挟持片１９ａ，１９ｂの下端部で排便した糞（ア）を挟持することができ、該糞（ア）を容易に容器１５内に収容することができる。この場合、挟持具１９を保持する握り部１７の保持室１８は、下面のみが開口しているため、蓋１６で容器１５を閉じると、該容器１５は気密に密閉され、容器１５内の臭気が外部に漏洩しなくなる。
【００２０】
【発明の効果】
以上の説明から明らかな如く、本願の請求項１に係る発明は、容器の上面を開閉する蓋にフォーク状の挟持具を上下方向に貫通させて取り付けるようにしたので、個別の部品が少なくなって持ち歩きに便利になるとともに、糞の排便場所、あるいは糞の状態に左右されることなく、該糞を容易に容器内に回収することができる。しかも蓋から上方に突出した挟持具の上部を操作して該挟持具を開閉するようにしたので、糞の挟持が衛生的にかつ容易に行えることになる。
請求項２に係る発明は、上記挟持片の蓋から上方に突出した上部に握り部を設けたので、糞回収具の携帯及び挟持片の開閉操作が容易となる。
請求項３に係る発明は、容器の上面を開閉する蓋に柱状の握り部を一体的に設けるとともに、該握り部の内部に下面が開口した保持室を形成し、フォーク状の挟持具の上部を上記保持室に嵌合係止するようにしたので、容器を蓋により閉じた際に該容器が密閉され、容器内の臭気が外部に漏洩しなくなる。
【図面の簡単な説明】
【図１】本発明の第１実施例を示す蓋を閉じた状態の断面図である。
【図２】本発明の第１実施例を示す糞の回収状態を示す断面図である。
【図３】本発明の第２実施例を示す蓋を閉じた状態の断面図である。
【図４】本発明の第３実施例を示す蓋を閉じた状態の断面図である。
【符号の説明】
１    ペットの糞回収具
２    容器
３    蓋
３ａ  挿通孔
４    挟持具
４ａ  固定挟持片
４ｂ  可動挟持片
５    握り部
５ａ  左面
５ｂ  右面
６    ばね
７    手
７ａ  親指
１０    容器
１１    蓋
１１ａ  挿通孔
１２    挟持具
１２ａ，１２ｂ  挟持片
１２ｃ  ばね部
１３    吊り輪
１４    ブラケット
１５    容器
１６    蓋
１７    握り部
１８    保持室
１８ａ  円弧室
１８ｂ  テーパー室
１９    挟持具
１９ａ，１９ｂ  挟持片
１９ｃ  ばね部
２０    操作片
２１    ガイド孔
（ア）  糞
【図１】
0003797546.tif 000002
【図２】
0003797546.tif 000003
【図３】
0003797546.tif 000004
【図４】
0003797546.tif 000005